(57)【要約】【課題】複数色から構成される静止画像についてのサムネイル画像を効率よく生成し得る画像形成装置及び方法を提供する。【解決手段】印刷用に色変換されたＣＭＹＫ画像に対し、印刷用の画像処理を施す画像処理部１０と、ＣＭＹＫ画像を用いてサムネイル画像を生成するサムネイル画像生成部１１と、ＣＭＹＫ画像を記憶するＣＭＹＫ用メモリ１０ｅと、サムネイル画像を表示する表示部１８と、を備え、サムネイル画像生成部１１は、画像処理部１０により行われる処理と並列に、ＣＭＹＫ画像を縮小する縮小処理及び縮小した画像を表示用の画像に変換する変換処理を施してサムネイル画像を生成する画像形成装置１００とする。【選択図】図１
2009177307.tif 000002
【特許請求の範囲】
【請求項１】
印刷用に色変換されたＣＭＹＫ画像に対し、印刷用に画像処理を施す画像処理手段と、
前記ＣＭＹＫ画像を用いてサムネイル画像を生成するサムネイル画像生成手段と、
前記ＣＭＹＫ画像を記憶するメモリと、
前記サムネイル画像を表示する表示手段と、
を備え、
前記サムネイル画像生成手段は、前記画像処理手段により行われる処理と並列に、前記ＣＭＹＫ画像を縮小する縮小処理及び縮小処理した画像を表示用の画像に変換する変換処理を施して前記サムネイル画像を生成する画像形成装置。
【請求項２】
前記サムネイル画像生成手段は、前記画像処理手段により行われる処理に同期して、前記サムネイル画像を生成する請求項１に記載の画像形成装置。
【請求項３】
前記サムネイル画像生成手段は、印刷用の色の数をｎとした場合、１／ｎ以上の間引き率により前記縮小処理を行う請求項１又は２に記載の画像形成装置。
【請求項４】
前記サムネイル画像生成手段は、前記印刷用に色変換された４色のＣＭＹＫ画像に対し、表示用として３色のＲＧＢ画像データに変換する処理により前記変換処理を行う請求項１〜３の何れか一項に記載の画像形成装置。
【請求項５】
前記サムネイル画像生成手段は、前記サムネイル画像を前記表示手段により予め定められている表示用のフォーマットに変換する処理により前記変換処理を行う請求項１〜４の何れか一項に記載の画像形成装置。
【請求項６】
前記サムネイル画像生成手段は、前記ＣＭＹＫ画像が前記メモリに記憶されるか否かに応じて、前記サムネイル画像を生成するか否かを切り替える請求項１〜５の何れか一項に記載の画像形成装置。
【請求項７】
印刷用に色変換されたＣＭＹＫ画像に対し、印刷用に画像処理を施す工程と、
前記ＣＭＹＫ画像を用いてサムネイル画像を生成する工程と、
前記ＣＭＹＫ画像を記憶する工程と、
前記サムネイル画像を表示する工程と、
を含み、
前記サムネイル画像を生成する工程は、前記画像処理手段により行われる処理と並列に、前記ＣＭＹＫ画像を縮小する縮小処理及び縮小した画像を表示用の画像に変換する変換処理を施して前記サムネイル画像を生成するサムネイル画像生成方法。
【発明の詳細な説明】
【技術分野】
【０００１】
本発明は、画像形成装置及びサムネイル画像生成方法に関する。
【背景技術】
【０００２】
近年、原稿から読み取った画像データや外部端末から取得した画像データ等を中長期的に保存することが可能な画像形成装置が普及している。保存された画像データは、ユーザの指示操作により所望のタイミングで画像形成されることとなる。
【０００３】
画像形成装置に保存されている画像データのうち、ユーザによって一の画像データが選択されると、付属の表示部に選択候補の画像データのファイル名又はサムネイル画像が表示される。なお、サムネイル画像とは、画像形成装置が保存する画像データを縮小等した参照用の画像をいう。
【０００４】
画像形成装置に大量に画像データが保存されている場合、画像データのファイル名のみが表示されたのでは画像データの内容を判別しにくい。そこで、サムネイル画像が表示部に表示されれば、ユーザは所望の画像データをサムネイル画像から容易に特定することができて大変便利である。
【０００５】
通常、サムネイル画像の生成処理は、その元となる画像データの画像処理等とは別々のタイミングで行われる。例えば、まず元となる画像データが所定のメモリに保存される。そして、ＣＰＵ（Central Processing Unit）がこのメモリにアクセスして元となる画像データを複製し、複製した画像データに対して縮小処理等を施すことによりサムネイル画像が生成される。また、サムネイル画像が生成される一方で、元となる画像データは画像処理等の各種処理が施される。
【０００６】
このようにして行われるサムネイル画像の生成処理では、サムネイル画像のデータ量が大きければ大きいほど生成処理に多く時間を費やす結果となる。また、サムネイル画像の生成処理によって、元となる画像データの画像処理等に時間がかかる場合がある。
【０００７】
サムネイル画像は、その元となる画像データの補助的な役割として用いられる点に鑑みれば、生成処理に費やす時間は出来るだけ少なくなることが好ましい。また、サムネイル画像の生成処理に際しては、その元となる画像データの処理に影響を生じさせないことが必要である。
こうしたサムネイル画像を生成することにより生じる問題点を解消するべく、以下に示す特許文献１〜３に記載の技術が開示されている。
【０００８】
特許文献１によれば、一旦メモリに記録した映像データを符号化（圧縮処理等）する際にサムネイル画像を作成する映像情報記録装置が開示されている。これにより、映像データを再生／編集する際に必要だったサムネイル画像の作成時間が不要となる。
【０００９】
また、特許文献２によれば、入力画像データの圧縮及び記録処理と並行してサムネイル画像の生成処理を行う画像処理装置が開示されている。これにより、画像の撮影後に改めてサムネイル画像の生成処理を行う必要がなく、特許文献１と同様、サムネイル画像の生成処理に費やす時間を改めて必要とせずに済む。
【００１０】
また、特許文献３によれば、複数のメモリを有し、サムネイル画像の元となる圧縮画像データがどのメモリに保存されていても、サムネイル画像の生成処理は予め定められたメモリにて行う画像処理装置が開示されている。これにより、同一メモリ内でサムネイル画像の生成処理と優先度の高いジョブの処理が行われることはなく、サムネイル画像の生成処理によって優先度の高いジョブの処理が遅延等することを防止することができる。
【特許文献１】特開２００２−７７８０３号公報
【特許文献２】特開２００５−３４１３８２号公報
【特許文献３】特開２００６−１１５０００号公報
【発明の開示】
【発明が解決しようとする課題】
【００１１】
しかし、特許文献１に記載の技術によれば、映像データは一旦メモリに記録される。よって、サムネイル画像を生成する際には映像データが記録されているメモリにアクセスする必要があり、その分の処理時間が必要となる。
【００１２】
また、特許文献２に記載の技術によれば、画像データがメモリに記録される処理と並行してサムネイル画像が生成されるため、特許文献１における問題を解消し得る。
しかし、特に動画像についてのサムネイル画像の生成に用いられる技術であり、印刷用の静止画像について適用可能とする旨の記載はない。例えば、印刷用の複数色の静止画像についてサムネイル画像を生成するには、Ｃ（シアン色）、Ｍ（マゼンダ色）、Ｙ（黄色）、Ｋ（黒色）の各色ごとの画像データを考慮したサムネイル画像を生成し、これを表示部に表示する必要がある。
【００１３】
また、特許文献３によれば、静止画像についてのサムネイル画像の生成処理が記載されてはいるが、サムネイル画像の生成処理に費やす時間が短縮される旨の記載は無い。
【００１４】
本発明の目的は、複数色から構成される静止画像についてのサムネイル画像を効率よく生成し得る画像形成装置及び方法を提供することである。
【課題を解決するための手段】
【００１５】
請求項１に記載の発明によれば、
印刷用に色変換されたＣＭＹＫ画像に対し、印刷用に画像処理を施す画像処理手段と、
前記ＣＭＹＫ画像を用いてサムネイル画像を生成するサムネイル画像生成手段と、
前記ＣＭＹＫ画像を記憶するメモリと、
前記サムネイル画像を表示する表示手段と、
を備え、
前記サムネイル画像生成手段は、前記画像処理手段により行われる処理と並列に、前記ＣＭＹＫ画像を縮小する縮小処理及び縮小処理した画像を表示用の画像に変換する変換処理を施して前記サムネイル画像を生成する画像形成装置が提供される。
【００１６】
請求項２に記載の発明によれば、請求項１に記載の発明において、
前記サムネイル画像生成手段は、前記画像処理手段により行われる処理に同期して、前記サムネイル画像を生成する画像形成装置が提供される。
【００１７】
請求項３に記載の発明によれば、請求項１又は２に記載の発明において、
前記サムネイル画像生成手段は、印刷用の色の数をｎとした場合、１／ｎ以上の間引き率により前記縮小処理を行う画像形成装置が提供される。
【００１８】
請求項４に記載の発明によれば、請求項１〜３の何れか一項に記載の発明において、
前記サムネイル画像生成手段は、前記印刷用に色変換された４色のＣＭＹＫ画像に対し、表示用として３色のＲＧＢ画像データに変換する処理により前記変換処理を行う画像形成装置が提供される。
【００１９】
請求項５に記載の発明によれば、請求項１〜４の何れか一項に記載の発明において、
前記サムネイル画像生成手段は、前記サムネイル画像を前記表示手段により予め定められている表示用のフォーマットに変換する処理により前記変換処理を行う画像形成装置が提供される。
【００２０】
請求項６に記載の発明によれば、請求項１〜５の何れか一項に記載の発明において、
前記サムネイル画像生成手段は、前記ＣＭＹＫ画像が前記メモリに記憶されるか否かに応じて、前記サムネイル画像を生成するか否かを切り替える画像形成装置が提供される。
【００２１】
請求項７に記載の発明によれば、
印刷用に色変換されたＣＭＹＫ画像に対し、印刷用に画像処理を施す工程と、
前記ＣＭＹＫ画像を用いてサムネイル画像を生成する工程と、
前記ＣＭＹＫ画像を記憶する工程と、
前記サムネイル画像を表示する工程と、
を含み、
前記サムネイル画像を生成する工程は、前記画像処理手段により行われる処理と並列に、前記ＣＭＹＫ画像を縮小する縮小処理及び縮小した画像を表示用の画像に変換する変換処理を施して前記サムネイル画像を生成するサムネイル画像生成方法が提供される。
【発明の効果】
【００２２】
本発明によれば、複数色からなるサムネイル画像を効率よく生成することができる。また、サムネイル画像の生成処理によって、ＣＭＹＫ画像に係る印刷処理等が遅延することを防止することができる。
【発明を実施するための最良の形態】
【００２３】
以下、本実施形態における画像形成装置の最適な構成及び動作について、図面を用いて詳細に説明する。
【００２４】
まず、図１を参照して、本実施形態に係る画像形成装置１００について説明する。
画像形成装置１００は、画像処理部１０、サムネイル画像生成部１１、制御部１２、コントローラ１３、スキャナ部１４、出力装置１５、記憶部１６、操作部１７、表示部１８を備えて構成されている。
【００２５】
また、画像形成装置１００は、外部ＰＣ（Personal Computer）２００と接続されており、外部ＰＣ２００から送信されるＰＤＬ（Page Description Language）形式のデータを画像データに変換し、これを画像処理して印刷処理する。
以下、印刷処理の流れを説明すると共に、各部について説明する。
【００２６】
画像形成装置１００は、印刷処理を以下の手順で行う。なお、印刷処理には、主としてコントローラ１３から画像データを出力する場合と、スキャナ部１４から画像データを出力する場合とがある。
【００２７】
コントローラ１３から画像データが出力される場合、まず外部ＰＣ２００内部におけるアプリケーションがプリントすべきドキュメントのデータを外部ＰＣ２００内部のプリンタドライバソフトに出力する。
【００２８】
プリンタドライバソフトはドキュメントデータをＰＤＬ形式に変換し、これを外部ＰＣ２００からコントローラ１３に送信する。
【００２９】
コントローラ１３は、ＰＤＬ形式に変換されたドキュメントデータをラスタライズしてＣＭＹＫ画像データを生成する。ＣＭＹＫ画像データとは、Ｃ（シアン色）、Ｍ（マゼンダ色）、Ｙ（黄色）、Ｋ（黒色）の４色の複数色から構成される印刷用の画像データをいう。そして、このＣＭＹＫ画像データを画像処理部１０に出力する。
【００３０】
一方、スキャナ部１４から画像データが出力される場合、まずスキャナ部１４が備える光学系（図示省略）により原稿を読み取り、アナログの画像データを生成する。そして、生成したアナログの画像データをＡ／Ｄ変換してＲ（赤色）、Ｇ（緑色）、Ｂ（青色）の３色から構成されるＲＧＢ画像データを生成し、これを画像処理部１０に出力する。なお、ＲＧＢ画像データは表示用として用いられる。
【００３１】
画像処理部１０では、コントローラ１３から出力されたＣＭＹＫ画像データ又はスキャナ部１４から出力されたＲＧＢ画像データに対し、各種の画像処理を施す。なお、スキャナ部１４から出力されるＲＧＢ画像データは、ＣＭＹＫ画像データ、つまり印刷用の画像データに変換されて画像処理が施されることとなる。
画像処理部１０での処理については、図２における説明で後述する。
【００３２】
出力装置１５では、画像処理部１０から画像処理が施された後のＣＭＹＫ画像データを受信し、制御部１２からの制御信号に従って印刷処理する。
以下、印刷処理について説明する。
【００３３】
出力装置１５は、電子写真方式による印刷処理を行い、例えばプリント用紙を収容する給紙部、感光ドラムを有する露光部、トナーを付着させる現像部、トナーを定着させる定着部等からなる（図示省略）。
【００３４】
出力装置１５は、プリントすべき画像データに基づいて、露光部において感光ドラム上にレーザ光等を照射して静電潜像を形成し、現像部がトナーを付着させる。そして、感光ドラム上に形成されたトナー像を給紙部から給紙されたプリント用紙に転写させ、この転写されたトナー像を定着部において定着させる。定着させた後、排紙トレイ等にプリント用紙を排紙させることで、印刷処理を終了する。
【００３５】
記憶部１６は、システムプログラムや各種制御プログラムを記憶する。記憶部１６に記憶されている各種プログラムが制御部１２により読み出され、各部の動作が集中制御されることとなる。
【００３６】
操作部１７は、ユーザの操作指示を入力するためのものであり、各種キーや表示部１８と一体に構成されるタッチパネル等を備える。操作部１７は、操作に応じた操作信号を生成して制御部１２に出力する。
【００３７】
表示部１８は、ＶＲＡＭ１８ａ、表示コントローラ１８ｂ等を備えて構成され、制御部１２の制御信号に従ってディスプレイ上に操作画面等を表示する。
また、表示部１８は、画像処理部１０により生成されてＶＲＡＭ１８ａに書き込まれたサムネイル画像データをディスプレイ上にプレビュー表示する。その際、サムネイル画像データは一旦ＶＲＡＭ１８ａに格納され、表示コントローラ１８ｂを介してディスプレイ上に表示されることとなる。
【００３８】
次に、図２を参照して、画像処理部１０及びサムネイル画像生成部１１について説明する。画像処理部１０は、シェーディング補正部１０ａ、色変換処理部１０ｂ、セレクタ回路１０ｃ、圧縮／伸張処理部１０ｄ、ＣＭＹＫ用メモリ１０ｅ、印刷用画像処理部１０ｆから構成される。また、サムネイル画像生成部１１は、サムネイル画像処理部１１ａ、サムネイル用メモリ１１ｂから構成される。
【００３９】
以下、画像処理部１０がスキャナ部１４から出力されるＲＧＢ画像データを受信した後における、各部の処理について説明する。
【００４０】
シェーディング補正部１０ａは、ＲＧＢ画像データに対し、輝度ムラを補正すべく各色ごとの画像データにシェーディング補正を施す。
【００４１】
シェーディング補正部１０ａは、シェーディング補正を施した後、ＲＧＢ画像データを色変換処理部１０ｂに出力する。色変換処理部１０ｂは、ＲＧＢ画像データを受信すると、ＣＭＹＫ画像データに変換する変換処理を施す。
【００４２】
色変換処理部１０ｂは、ＲＧＢ画像データをＣＭＹＫ画像データに変換した後、ＣＭＹＫ画像データをセレクタ回路１０ｃに出力する。
【００４３】
セレクタ回路１０ｃは、上述してきたスキャナ部１４からのＣＭＹＫ画像データとコントローラ１３から出力されるＣＭＹＫ画像データのうち、何れか一方のＣＭＹＫ画像データを圧縮／伸張処理部１０ｄ及びサムネイル画像生成部１１に出力する。
【００４４】
このとき、セレクタ回路１０ｃは、圧縮／伸張処理部１０ｄに出力するＣＭＹＫ画像データの同期信号に同期させて、ＣＭＹＫ画像データをサムネイル画像生成部１１に出力する。
【００４５】
圧縮／伸張処理部１０ｄは、ＣＭＹＫの各色の画像データを受信すると、色ごとに圧縮処理を施して色ごとのＣＭＹＫ用メモリ１０ｅに出力する。
また、サムネイル画像生成部１１は、ＣＭＹＫ画像データを受信すると、サムネイル画像処理部１１ａにより所定の処理を施してサムネイル画像データを生成し、これをサムネイル画像データ専用のサムネイル用メモリ１１ｂに出力する。
【００４６】
ここで、図３にサムネイル画像処理部１１ａの機能ブロック図を示す。
サムネイル画像処理部１１ａは、間引き処理部１０１ａ、合成部１０１ｂ、第１変換処理部１０１ｃ、第２変換処理部１０１ｄから構成される。
【００４７】
サムネイル画像処理部１１ａは、セレクタ回路１０ｃから出力されたＣＭＹＫ画像データに対して、図３に示すように、上流の間引き処理部１０１ａから下流の第２変換処理部１０１ｄへと処理を施す。そして、全ての処理を施して生成したサムネイル画像データをサムネイル用メモリ１１ｂに出力する。
以下、サムネイル画像処理部１１ａにおける各部の処理について、図３及び以下に示す図４を参照しつつ説明する。
【００４８】
図４に、画像処理の概念図を示す。
間引き処理部１０１ａは、Ｃ、Ｍ、Ｙ、Ｋのそれぞれの画像データにおいて、主走査方向に１／４間引きを行う。
【００４９】
図４に示すように、間引き処理後のＣＭＹＫ画像データＡは、主走査方向において１画素目、５画素目、９画素目、・・・で構成されることとなる。
なお、ここでの間引き率は１／４としたが、これに限らずＣＭＹＫ画像データの数（４つ）以上の間引き率であればよい。例えば、間引き率が１／５であってもよいし、３色印刷であれば１／３であってもよい。
また、ここでは副走査方向における間引き処理は行わない。副走査方向においては、サムネイル画像を表示部１８に表示する際、表示コントローラ１８ｂが予め定められた間引き率により間引き処理を行うことが可能であるからである。
以上の間引き処理により、画像の主走査方向において縮小処理が行われることとなる。
【００５０】
合成部１０１ｂは、間引き処理後のＣ、Ｍ、Ｙ、Ｋのそれぞれの画像データを合成して１つの画像データとする合成処理を行う。
合成処理後のＣＭＹＫ画像データＢは、主走査方向においてＣ、Ｍ、Ｙ、Ｋそれぞれの１画素目、５画素目、９画素目、・・・で構成されることとなる。
【００５１】
第１変換処理部１０１ｃは、合成処理後のＣＭＹＫ画像データを表示用のＲＧＢ画像データへ変換する。図４に、変換処理後のＲＧＢ画像データＣの概念図を示す。
ここで行われる変換処理は、具体的には、Ｒ＝２５５−（Ｃ＋Ｋ）、Ｇ＝２５５−（Ｍ＋Ｋ）、Ｂ＝２５５−（Ｙ＋Ｋ）として算出される演算処理が施される。なお、Ｃ、M、Ｙ、Ｋの画像データはそれぞれ１画素につき８ビットのデータ量をもち、８ビットは０〜２５５の階調幅を表現することが可能である。よって、例えばＣ＝１５０、Ｋ＝５０の階調である場合、ＲはＲ＝２５５−（１５０＋５０）＝５５階調で表現される。
【００５２】
第２変換処理部１０１ｄは、表示部１８のディスプレイにより予め定められている表示フォーマットに応じてＲＧＢ画像データを変換する。ここでいう表示フォーマットとは、ディスプレイにおいて最大で同時に表示可能な色（ビット数や配列等）の数を定めたものである。第２変換処理部１０１ｄは、１画素につき８ビットのデータ量を持つＲ、Ｇ、Ｂの画像データに対し、表示フォーマットに従って上位ビットを用いたＲＧＢ画像データを作成する。図４に示すＲＧＢ画像データＤは、変換処理後の画像データの概念図である。
第２変換処理部１０１ｄにより作成されたＲＧＢ画像データＤは、サムネイル画像データとして用いられることとなる。なお、画像データＥは、表示フォーマットに準じた１画素分の画像データを示している。
【００５３】
第２変換処理部１０１ｄが行う上述した処理の具体例として、表示フォーマットが「ＲＧＢ５６５」である場合について説明する。
第２変換処理部１０１ｄは、Ｒ、Ｇ、Ｂそれぞれの画像データの画素ごとに、ＲとＢについては上位５ビット（２の５乗：３２階調）、Ｇについては上位６ビット（２の６乗：６４階調）を用いたＲＧＢ画像データＤを作成する。なお、この「ＲＧＢ５６５」の表示フォーマットに基づいて作成されたＲＧＢ画像データＤであれば、ディスプレイにおいて最大で同時に６５５３６色（２の１６乗）を表現することができる。
【００５４】
第２変換処理部１０１ｄは、作成したＲＧＢ画像データＤ、つまりサムネイル画像データをサムネイル用メモリ１１ｂに出力する。
【００５５】
また、サムネイル画像生成部１１は、サムネイル用メモリ１１ｂからサムネイル画像データを読み出して、表示部１８のＶＲＡＭ１８ａに出力する。ＶＲＡＭ１８ａに出力され、記憶されたサムネイル画像データは、その後操作部１７からの操作信号に従い、表示コントローラ１８ｂにより読み出される。そして、ディスプレイ上に表示されることとなる。
【００５６】
操作部１７の操作信号には、上述したように、例えばサムネイル画像データを表示部１８に表示する指示信号が含まれる。また、後述するように、ＣＭＹＫ画像データを画像形成する指示信号や、縮小処理や拡大処理、回転処理、ガンマ補正等の各種画像処理する指示信号が含まれる。
【００５７】
図２に戻り、圧縮／伸張処理部１０ｄは、操作部１７から印刷を指示する操作信号を受信すると、ＣＭＹＫ用メモリ１０ｅからＣＭＹＫ画像データを読み出して、伸張処理する。そして、伸張処理した画像データを印刷用画像処理部１０ｆへ出力する。
【００５８】
印刷用画像処理部１０ｆは、操作部１７の操作信号に従って、ＣＭＹＫ画像データに指示された各種の画像処理（縮小処理、拡大処理等）を施す。そして、画像処理を施したＣＭＹＫ画像データを出力装置１５に出力する。
【００５９】
以上のように、本実施形態によれば、ＣＭＹＫ画像データはセレクタ回路１０ｃから圧縮／伸張処理部１０ｄに出力されるとともにサムネイル画像生成部１１にも出力される。そして、ＣＭＹＫ画像データは、サムネイル画像生成部１１において間引き処理（縮小処理）、合成処理、変換処理が施される。この結果、サムネイル画像データが生成される。
ＣＭＹＫ画像データが画像処理等されるのと並列してサムネイル画像の生成処理が行われるため、改めてサムネイル画像の生成処理を行う必要はなく、処理の効率化を図ることができる。更に、サムネイル画像を確認用として迅速にプレビュー表示することが可能となる。
【００６０】
また、具体的には、ＣＭＹＫ画像データはセレクタ回路１０ｃから圧縮／伸張処理部１０ｄに出力される際の同期信号に同期して、サムネイル画像生成部１１に出力される。これにより、一旦ＣＭＹＫ用メモリ１０ｅに記憶されたＣＭＹＫ画像データを制御部１２が読み出す等の処理は不要となる。よって、効率的にサムネイル画像を生成することができる。
【００６１】
また、間引き処理部１０１ａによる間引き処理は、ＣＭＹＫ画像データの色の数をｎとした場合に、１／ｎ以上の間引き率として行われる。これにより、合成部１０１ｂによる合成処理において、画像データのサイズを元のＣＭＹＫ画像データより大きくしなくて済む。よって、サムネイル画像の生成処理に費やす時間を短縮化することができる。
【００６２】
また、第１変換処理部１０１ｃによる変換処理は、一度、色変換処理部１０ｂによりＲＧＢからＣＭＹＫに変換されたＣＭＹＫ画像データを再度、ＲＧＢ画像データに変換する処理を行う。これにより、印刷用の画像データであるＣＭＹＫ画像データに近い色合いで表示部１８にサムネイル画像を表示することができる。
【００６３】
また、第２変換処理部１０１ｄによる変換処理は、表示部１８により予め定められた表示フォーマットに変換する処理を行う。具体的には、表示フォーマットに従って上位ビットを用いた変換処理を行う。この簡易な変換処理により、表示部１８にサムネイル画像を迅速に表示することができる。
【００６４】
また、コントローラ１３又はスキャナ部１４から画像処理部１０に出力される印刷出力のモードによって、サムネイル画像データを生成するか否かをサムネイル画像生成部１１が切り替え可能とすることとしてもよい。
ここで、印刷出力のモードとは、例えばＣＭＹＫ用メモリ１０ｅにＣＭＹＫ画像データが記憶されるモード（ジョブモード）と記憶されないモード（ページモード）とがある。ジョブモードであれば、画像データが中長期的に画像形成装置１００に保存されることになるため、サムネイル画像データの生成が必要となる。よって、この場合に限って、サムネイル画像生成部１１はサムネイル画像データを生成することとしてもよい。これにより、不要にサムネイル画像を生成することを防止することができる。
【図面の簡単な説明】
【００６５】
【図１】画像形成装置の全体構成を示す機能ブロック図である。
【図２】画像処理装置の機能ブロック図である。
【図３】サムネイル生成回路の機能ブロック図である。
【図４】画像処理の内容を示す概念図である。
【符号の説明】
【００６６】
１００  画像形成装置
１０    画像処理部
１０ｅ  ＣＭＹＫ用メモリ
１１    サムネイル生成回路
１１ｂ  サムネイル用メモリ
１２    制御部
１８    表示部
【図１】
2009177307.tif 000003
【図２】
2009177307.tif 000004
【図３】
2009177307.tif 000005
【図４】
2009177307.tif 000006